(57)【要約】      （修正有）【課題】使い心地がさらによくなり、利用者の疲労を解消でき、多機能を備える座椅子を提供する。【解決手段】本考案は座部２０と背凭れ部４０とを有する座椅子に関し、座部２０と背凭れ部４０の表面に設置され、座部２０と背凭れ部４０の表面との間に、横方向の隙間１ａ、２ａ、３ａは形成される少なくとも一つのクッション１、２、３と、横方向の隙間１ａ、２ａ、３ａに挿入可能な棒状部材とを備える座椅子を提供する。本考案による座椅子は、少なくとも一つのクッションを有し、クッションと座椅子の載置面の間に棒状部材が挿入可能な横方向の隙間は形成され、棒状部材が挿入されることにより、クッションが利用者の身体の各部位によく接触し、利用者の使い心地がよくなる。【選択図】図１
0003190962.tif 000002
【実用新案登録請求の範囲】
【請求項１】
座部（２０）と背凭れ部（４０）とを有する座椅子（１００）であって、
座部（２０）と背凭れ部（４０）の表面に設置され、座部（２０）と背凭れ部（４０）の表面との間に横方向に延びる隙間（１a、２a、３a）が形成される少なくとも一つのクッション（１、２、３）と、
前記横方向の隙間（１a、２a、３a）に挿入可能な棒状部材（３０）と
を備えることを特徴とする座椅子。
【請求項２】
前記クッション（１、２、３）は前記座椅子（１００）における人体の首、腰、足に対応する位置の少なくとも一つの位置に設置される
ことを特徴とする請求項１に記載の座椅子。
【請求項３】
前記座部（２０）は背凭れ部（４０）との間の角度を任意の角度に調整できることを特徴とする請求項１に記載の座椅子。
【請求項４】
前記座部（２０）の載置面における人体の両足間に対応する位置に、前記棒状部材を前記座部（２０）に接続するための第一接続部（４）が設置され、前記棒状部材（３０）の中央に前記第一接続部（４）と接続するための第二接続部（１０）が設置されることを特徴とする請求項１乃至３のいずれか１項に記載の座椅子。
【請求項５】
前記クッション（１、２、３）は内層が弾性材料によって形成され、外層が布又は革によって覆われることを特徴とする請求項１乃至３のいずれか１項に記載の座椅子。
【請求項６】
前記棒状部材（３０）は
硬質材料によって形成される棒状又は管状の基体部（８）と、
前記基体部（８）を覆うカバー（６）とを含む
ことを特徴とする請求項１に記載の座椅子。
【請求項７】
前記棒状部材（３０）は更に基体部（８）とカバー（６）の間に設置され、前記基体部（８）を覆う緩衝部（７）を含むことを特徴とする請求項６に記載の座椅子。
【請求項８】
前記緩衝部（７）は発泡材料又はスポンジによって形成されることを特徴とする請求項７に記載の座椅子。
【請求項９】
前記座椅子（１００）は和式の座椅子であることを特徴とする請求項１に記載の座椅子。
【考案の詳細な説明】
【技術分野】
【０００１】
本考案は座椅子に関し、具体的には、多機能を備える座椅子に関する。
【背景技術】
【０００２】
座椅子は日常生活や仕事によく使われるものであり、従来の座椅子は機能が少なく、通常座る場合や寝る場合にしかに使われていなかった。中国実用新案登録ZL201220419424.8に角度が調整可能な座椅子が開示され、当該座椅子の座部と背凭れの角度を調整することにより座椅子に様々な機能を持たせることができる。
【考案の概要】
【考案が解決しようとする課題】
【０００３】
本考案は、使い心地がさらによくなり、利用者の疲労を解消でき、多機能を備える座椅子を提供することを目的とする。
【課題を解決するための手段】
【０００４】
本考案による座椅子は、座部（２０）と背凭れ部（４０）とを有する座椅子であって、座部（２０）と背凭れ部（４０）の表面に設置され、座部（２０）と背凭れ部（４０）の表面との間に、横方向に延びる隙間（１a、２a、３a）が形成される更に少なくとも一つのクッション（１、２、３）と、前記横方向の隙間（１a、２a、３a）に挿入可能な棒状部材（３０）とを備えることを特徴とする。
【０００５】
本考案による座椅子には、少なくとも一つのクッションが設置され、クッションと座椅子の載置面の間に横方向の隙間は形成され、棒状部材が横方向の隙間に挿入されると、クッションが利用者の身体の対応位置をサポートし、利用者の使い心地がよくなる。
【０００６】
一つの実施例として、前記クッション（１、２、３）は前記座椅子（１００）における人体の首、腰、足に対応する位置の少なくとも一つの位置に設置される。
【０００７】
前記クッションは前記座椅子における人体の首、腰、足に対応する位置の少なくとも一つの位置に設置されるため、利用者が使用するとき、該クッションが使用者の首、腰、足とぴったり合わせ、対応する部位の疲労を解消し、利用者の使い心地がよくなる。
【０００８】
一つの実施例として、前記座部（２０）は背凭れ部（４０）との間の角度を任意の角度に調整できる。
【０００９】
座部と背凭れ部との間の角度を調整することにより、座椅子を異なる状態にすることができ、利用者は自身の状況及び希望の機能に応じて座椅子を調整できる。
【００１０】
一つの実施例として、前記座部（２０）の載置面における人体の両足間に対応する位置に棒状部材を接続するための第一接続部が設置され、前記棒状部材（３０）の中央に前記第一接続部（４）と接続するための第二接続部（１０）が設置される。
【００１１】
座椅子と人体の両足間に対応する位置に棒状部材が設置されると、利用者は棒状部材で両足を押さえることができ、展開された座椅子を利用して便利に腹筋することができる。第一接続部と第二接続部によって棒状部材を接続することにより、棒状部材を容易に取外すことができる。
【００１２】
一つの実施例として、前記クッション（１、２、３）は内層が弾性材料によって形成され、外層が布や革材料によって覆われる。
【００１３】
クッションの内層が弾性材料によって形成されるため、棒状部材が挿入されると、クッションが盛り上がり、利用者の首、腰、足とより良好に接触し、利用者の使い心地がよくなる。
【００１４】
一つの実施例として、前記棒状部材（３０）は硬質材料によって形成される棒状又は管状の基体部（８）と、前記基体部（８）を覆うカバー（６）とを含む。
【００１５】
棒状部材の基体部が硬質材料によって形成されるため、前記隙間に棒状部材が挿入されるとき、良好にサポートすることができる。
【００１６】
一つの実施例として、前記棒状部材（３０）は、更に、基体部（８）とカバー（６）の間に設置され、前記基体部（８）を覆う緩衝部（７）を含む。
【００１７】
緩衝部を設置することによって、利用者と基体部の間に良好な緩衝作用をもたらし、硬質材料で形成される基体部によって利用者に不快感を与えることはない。
【００１８】
一つの実施例として、前記緩衝部（７）は発泡材料又はスポンジによって形成される。
発泡材料やスポンジで緩衝部を形成することにより、緩衝作用が良好で、コストも低い。
【００１９】
一つの実施例として、前記座椅子は和式の座椅子である。
【００２０】
本考案による座椅子は、様々な機能を持っている。例えば、利用者は首に対応するクッションと座椅子の表面との間の隙間に棒状部材を挿入すると、クッションが利用者の首にぴったり接触し、首の疲労を解消し、利用者の使い心地がよくなる。また、座部と背凭れの角度を調整し、例えば、座椅子を展開状態にすると（座部と背凭れの角度を１８０度にする）、座椅子に寝ることができる。利用者は腰に対応するクッションに棒状部材を挿入すると、腰を持上げて伸ばし、腰の疲労を解消することができる。
【００２１】
第一接続部と第二接続部によって棒状部材と座部が接続されると、棒状部材で利用者の両足を押えることができ、便利に腹筋することができる。
【００２２】
以上のように、本考案による座椅子は、座椅子の座部と背凭れの角度を調整し、更に適切な位置に棒状部材を挿入することにより様々な機能を実現することができる。
【図面の簡単な説明】
【００２３】
【図１】本考案の実施形態に係る座椅子の構成概略図である。
【図２】本考案の実施形態に係る棒状部材の構成概略図である。
【図３】座椅子の使用状態を説明するための概略図である。
【図４】座椅子の使用状態を説明するための概略図である。
【図５】座椅子の使用状態を説明するための概略図である。
【図６】座椅子の使用状態を説明するための概略図である。
【図７】座椅子の使用状態を説明するための概略図である。
【図８】座椅子の角度調整を示す様子を示す図である。
【図９】本考案の実施形態に係る座椅子により首の疲労を解消する様子を示す図である。
【図１０】本考案の実施形態に係る座椅子により腰の疲労を解消する様子を示す図である。
【図１１】本考案の実施形態に係る座椅子により足の疲労を解消する様子を示す図である。
【図１２】本考案の実施形態に係る座椅子により腹筋運動をする様子を示す図である。
【考案を実施するための形態】
【００２４】
以下、本分野の当業者が本考案の内容をより理解するために、図面と具体的な実施形態を参照しながら、本考案に係る座椅子を詳しく説明する。これらの図面において、同様または相当する構成を有する構成要素には、同一の参照符号を付ける。また、以下は本考案に係る座椅子の最良な実施形態に過ぎなく、本考案は以下の実施形態に限定されるものではない。以下の説明において、床に直接に置く和式の座椅子を例として説明する。
【００２５】
図１は本考案の実施形態に係る座椅子の構造概略図である。図１に示すように、本実施形態に係る座椅子１００は座部２０と、背凭れ部４０と、座部２０と背凭れ部４０の載置面に設置されたクッション１、２、３とを備える。各クッション１、２、３は略長方形で、座椅子１００の表面に固定され、座椅子１００の表面との間に、以下に説明する棒状部材３０を挿入可能な隙間１ａ、２ａ、３ａが形成されている。クッション１、２、３は、内層と外層とを有し、内層は弾性材料によって形成され、外層は布、革材料で構成されるカバーに覆われている。クッション１，２，３と座椅子の載置面の間に形成された隙間１ａ、２ａ、３ａに棒状部材３０が挿入される時、棒状部材３０によってクッションが盛り上がり、利用者の身体に対して良好に接触する。
【００２６】
本実施形態において、座椅子における人体の首、腰、足に対応する位置にそれぞれ複数のクッションを設置する。複数のクッションとは、首クッション１、腰クッション２、足クッション３のことである。座椅子における人体の首、腰、足に対応する位置とは、利用者が座椅子１００に座る/寝る時、人体の首、腰、足をサポートする部分のことである。
【００２７】
首クッション１は背凭れ部４０の上部１１に設置される。首クッション１の上側は背凭れ部４０の上部１１の上端に固定され、下側は背凭れ部４０の上部１１の下方に固定され、首クッション１と背凭れ部４０の載置面（正面）の間に棒状部材３０が挿入可能な横方向に延びる隙間１aが形成されている。
【００２８】
腰クッション２は背凭れ部４０と座部２０との境に設置され、下側は背凭れ部４０と座部２０との境位置１２に固定され、上側は背凭れ部４０に固定される。腰クッション２と背凭れ部４０の載置面の間に棒状部材３０が挿入可能な横方向に延びる隙間２aが形成されている。
【００２９】
足クッション３は座部２０の先端２１近傍に設置され、一端は座部２０に固定され、他端は座部２０の先端２１に固定される。足クッション３と座部２０の載置面の間に棒状部材３０が挿入可能な隙間３aが形成される。
【００３０】
なお、本実施例において三つのクッションが設置されているが、本考案はこれに限らず、必要に応じて、一つ、二つ、或いはもっと多くのクッションを設置してもよい。クッションを設置する位置も図１に示す位置に限らず、必要に応じて異なる位置にしてもよい。例えば、必要に応じて座椅子における頭部に対応する位置にクッションを設置してもよい。
【００３１】
しかし、人体の構造により、利用者の首、腰、足に対応する位置にクッションを設置することが好ましい。
【００３２】
図２は本考案の実施形態の棒状部材３０の構造概略図である。図２に示すように、本考案の棒状部材３０はカバー６と、緩衝部７と、基体部８とを含む。カバー６は緩衝部７と基体部８を覆い、ソフト感をもたらす。カバー６は様々な適切な材料で形成されることが可能で、また、その形状やサイズは、緩衝部７と基体部８の形状やサイズにマッチングする。
【００３３】
緩衝部７は基体部８とカバー６の間に設置され、基体部８を覆い、衝撃を緩和するものである。好ましくは、緩衝部７は発泡材料や、スポンジや、スポンジと類似するもので形成され、基本的に、基体部８を覆い、衝撃緩和の作用を有すれば、如何なる材料でもよい。
【００３４】
基体部８は棒状又は管状を有し、硬質材料、例えば鉄やアルミニウム合金で形成され、利用者の身体をサポートする。
【００３５】
また、本実施形態において、座部２０の載置面における人体の両足間に対応する位置には、棒状部材３０を座部２０に接続するための第一接続部としての第一コネクター４が設置される。
【００３６】
また、第二接続部として、棒状部材３０は長さ方向の中央部において、棒状部材３０の外表面から延長される接続バンド９と、接続バンド９と接続し、座椅子１００の第一コネクター４と接続する第二コネクター１０とが設置される。第一コネクター４と第二コネクター１０は嵌め合い構造であり、第二コネクター１０における弾性部材を押すことにより第二コネクター１０を第一コネクター４内に挿入でき、即ち、第一接続部と第二接続部により、棒状部材３０と座部２０とは接続される。
【００３７】
なお、本実施形態において、第一接続部（第一コネクター４）と第二接続部（接続バンド９、第二コネクター１０）について、第一コネクター４と第二コネクター１０の嵌め合い構造を利用して両者が互いに接続されるが、本考案はこれに限らず、他の連続構造を採用してもよい。
【００３８】
図３〜７は本考案の座椅子１００の使用状態を説明する図である。図４は図３におけるA領域の拡大図であり、図５は図３におけるB領域の拡大図であり、図６は図３におけるC領域の拡大図であり、図７は図３におけるD領域の拡大図である。
【００３９】
図４に示すように、首クッション１と背凭れ部４０の間に形成された隙間１aに棒状部材３０が挿入されると、首クッション１が棒状部材３０により押し上げられる。利用者は座椅子１００を使用する時、押し上げられた首クッション１が利用者の首形状にならった形状となるため、利用者の使い心地がよくなり、首の疲労を解消する。
【００４０】
図５に示すように、腰クッション２と背凭れ部４０の間に形成された隙間２aに棒状部材３０が挿入されると、腰クッション２が棒状部材３０により押し上げられる。利用者は座椅子１００を使用する時、押し上げらた腰クッション２が利用者の腰形状にならった形状となるため、利用者の使い心地がよくなり、腰の疲労を解消する。
【００４１】
図６に示すように、足クッション３と座部２０の間に形成された隙間３aに棒状部材３０が挿入されると、足クッション３が棒状部材３０により押し上げられる。利用者は座椅子１００を使用する時、押し上げられた足クッション３によって利用者の太ももをリラックスさせることができるので、利用者の使い心地がよくなる。
【００４２】
図７に示すように、第一接続部（第一コネクター４）と第二接続部（接続バンド９と第二コネクター１０）を接続することにより棒状部材３０と座部２０を接続する。
【００４３】
図８は座椅子の角度を調整する様子を示す図である。図８に示すように、座椅子１００の角度、即ち座部２０と背凭れ部４０の間の角度は調整可能である。座部２０と背凭れ部４０の間の角度を調整することにより、座椅子１００を様々な用途に適用することができる。また、座部２０と背凭れ部４０の間の角度のほかに、座部２０の先端２１と座部２０の間の角度も調整可能であり、これにより、利用者の足を快適感をもたらす角度にすることができる。
【００４４】
図９は本考案の実施形態に係る座椅子により、首の疲労を解消する様子を示す図である。図９に示すように、首クッション１と背凭れ部４０の載置面（正面）の間に形成された隙間１aに棒状部材３０は挿入され、また、座部２０と背凭れ部４０の間の角度を調整し、座椅子１００を座りやすいようにする。このとき、利用者は座部２０に座り、背中を背凭れ部４０に寄りかかり、盛り上がった首クッション１が利用者の首の形状と合うので、利用者の使い心地がよくなり、首の疲労を解消する。
【００４５】
図１０は本考案の実施形態に係る座椅子により、腰の疲労を解消する様子を示す図である。図１０に示すように、腰クッション２と背凭れ部４０の載置面（正面）の間に形成された隙間２aに棒状部材３０が挿入され、また、座部２０と背凭れ部４０の間の角度を調整し、座部２０と背凭れ部４０を同じ平面にする。このとき、利用者は座椅子１００に横になり、盛り上がった腰クッション２を利用して腰を支え、また、腰を伸ばし、腰の疲労を解消する。
【００４６】
図１１は本考案の実施形態に係る座椅子により足の疲労を解消する様子を示す図である。図１１に示すように、足クッション３と座部２０の載置面（正面）の間に形成された隙間３aに棒状部材３０が挿入され、また、座部２０と背凭れ部４０の間の角度を調整し、座椅子１００を座りやすいようにする。このとき、盛り上がった足クッション３は足を支え、また、足を伸ばし、利用者の使い心地がよくなり、足の疲労を解消する。
【００４７】
図１２は本考案の実施形態に係る座椅子により、腹筋運動をする様子を示す図である。図１２に示すように、利用者は本実施形態の座椅子を利用して腹筋運動することができる。具体的に、利用者は座部２０に座り、棒状部材３０を太ももに横方向に置き、第一コネクター４と第二コネクター１０を接続し、接続バンド９を介して棒状部材３０を座部２０に連続し、接続バンド９の長さを調整し棒状部材３０を太ももに強く押し付ける。
【００４８】
また、座部２０と背凭れ部４０の間の角度を適切な角度（図１２において座部２０と背凭れ部４０の間の角度が１８０度であるが、必要に応じて他の角度に調整してもよい）に調整する。これにより、利用者は座椅子１００を利用して腹筋をすることができる。
【００４９】
以上、和式の座椅子を例に本考案を説明した。しかし、本考案は和式の座椅子に限られるものではなく、椅子脚を有する座椅子や、ソファ等の様々な構造の座椅子にも適用することができる。
【００５０】
以上、特定の実施例を参照して本考案を説明したが、本考案はこれらの実施例に限定されるものではない。いわゆる当業者は、本考案の範囲および概念から逸脱しない範囲で、これらの実施例を変更または修正することが可能であり、これらは全て本考案の技術的範囲に属する。
【図１】
0003190962.tif 000003
【図２】
0003190962.tif 000004
【図３】
0003190962.tif 000005
【図４】
0003190962.tif 000006
【図５】
0003190962.tif 000007
【図６】
0003190962.tif 000008
【図７】
0003190962.tif 000009
【図８】
0003190962.tif 000010
【図９】
0003190962.tif 000011
【図１０】
0003190962.tif 000012
【図１１】
0003190962.tif 000013
【図１２】
0003190962.tif 000014